(57)【要約】【課題】浴槽内湯温に応じて浴槽に対する温泉水の供給と補給水の供給とを制御することにより浴槽内湯温を自動的に制御する。【解決手段】浴槽（１）に温泉を供給する温泉供給管路（３）と浴槽に補給水を供給する補給水供給管路（５）とを設け、該温泉供給管路にはＰＩＤ制御の第一自動モーターバルブ（９）とＯＮ−ＯＦＦ制御の第二自動モーターバルブ（１１）とを並列状に配設し、該補給水供給管路にはＯＮ−ＯＦＦ制御の第三自動モーターバルブ（２３）を配設し、第二自動モーターバルブと第三自動モーターバルブにはそれぞれ各バルブの上流又は下流に手動バルブ（１７）（１９）（２５）（２７）を備えさせ、浴槽内湯温を検知する湯温センサー（３１）を配設し、更に、浴槽内湯温の所望の設定値と該設定値よりも高い上限値と該設定値よりも低い下限値とを設定するための湯温設定手段（３３）とを設ける。【選択図】図１
2005221166.tif 000002
【特許請求の範囲】
【請求項１】
浴槽に温泉を供給する温泉供給管路と浴槽に補給水を供給する補給水供給管路とを設け、該温泉供給管路にはＰＩＤ制御の第一自動モーターバルブとＯＮ−ＯＦＦ制御の第二自動モーターバルブとを並列状に配設し、該補給水供給管路にはＯＮ−ＯＦＦ制御の第三自動モーターバルブを配設し、第二自動モーターバルブと第三自動モーターバルブとにはそれぞれ各バルブの上流又は下流に手動バルブを備えさせ、浴槽内湯温を検知する湯温センサーを配設し、更に、浴槽内湯温の所望の設定値と該設定値よりも高い上限値と該設定値よりも低い下限値とを設定するための湯温設定手段とを設け、
以て、浴槽内湯温が設定値になるように第一自動モーターバルブに浴槽に対する温泉の供給量を制御させ、
浴槽内湯温が設定値よりも高い上限値まで上昇したときには第三自動モーターバルブに浴槽に対し補給水を供給させ、該補給水の供給により浴槽内湯温が設定値まで降下回復したときには第三自動モーターバルブを閉じ、
浴槽内湯温が設定値よりも低い下限値まで降下したときには第二自動モーターバルブに浴槽に対し温泉を供給させ、該温泉の供給により浴槽内湯温が設定値まで上昇回復したときには第二自動モーターバルブを閉じるようにしたことを特徴とする浴槽内湯温の自動制御装置。
【発明の詳細な説明】
【技術分野】
【０００１】
本発明は、浴槽内湯温の自動制御装置に関するものであり、更に詳しくは、温泉における浴槽に対する温泉水の供給と補給水の供給とを制御することにより、浴槽内湯温（浴槽内の湯の温度）を自動的に制御するようにした装置に係るものである。
【背景技術】
【０００２】
浴槽内湯温の自動制御装置としては、実公平２−５７８５号公報に示すように、湯の温度を温度センサーにより検知させ、湯の温度が一定以下になったときに該温度センサーの検知信号により過熱手段が湯を加熱するようにしたものが既に知られている。
【特許文献１】実公平２−５７８５号公報
【発明の開示】
【発明が解決しようとする課題】
【０００３】
本発明は、湯温に応じて過熱手段を用いて湯を加熱することにより浴槽内湯温を制御するのではなく、浴槽内湯温に応じて浴槽に対する温泉水の供給と補給水の供給とを制御することにより浴槽内湯温を自動的に制御するようにした装置を提供しようとしてなされたものである。
【課題を解決するための手段】
【０００４】
上記課題を解決するために、本発明は下記の浴槽内湯温の自動制御装置を提供するものである。
【０００５】
浴槽に温泉を供給する温泉供給管路と浴槽に補給水を供給する補給水供給管路とを設け、該温泉供給管路にはＰＩＤ制御の第一自動モーターバルブとＯＮ−ＯＦＦ制御の第二自動モーターバルブとを並列状に配設し、該補給水供給管路にはＯＮ−ＯＦＦ制御の第三自動モーターバルブを配設し、第二自動モーターバルブと第三自動モーターバルブとにはそれぞれ各バルブの上流又は下流に手動バルブを備えさせ、浴槽内湯温を検知する湯温センサーを配設し、更に、浴槽内湯温の所望の設定値と該設定値よりも高い上限値と該設定値よりも低い下限値とを設定するための湯温設定手段とを設け、
以て、浴槽内湯温が設定値になるように第一自動モーターバルブに浴槽に対する温泉の供給量を制御させ、
浴槽内湯温が設定値よりも高い上限値まで上昇したときには第三自動モーターバルブに浴槽に対し補給水を供給させ、該補給水の供給により浴槽内湯温が設定値まで降下回復したときには第三自動モーターバルブを閉じ、
浴槽内湯温が設定値よりも低い下限値まで降下したときには第二自動モーターバルブに浴槽に対し温泉を供給させ、該温泉の供給により浴槽内湯温が設定値まで上昇回復したときには第二自動モーターバルブを閉じるようにしたことを特徴とする浴槽内湯温の自動制御装置。
【発明の効果】
【０００６】
本発明によれば、浴槽内湯温に応じて浴槽に対する温泉水の供給と補給水の供給とを制御することにより浴槽内湯温を自動的に制御することができる。即ち、加熱手段を用いることなく、浴槽内湯温を一定の範囲内に制御することができる。
【発明を実施するための最良の形態】
【０００７】
符号１に示すものは浴槽である。浴槽１に温泉を供給する温泉供給管路３と浴槽１に補給水を供給する補給水供給管路５とを設ける。図示の事例においては、温泉供給管路３と補給水供給管路５とが一本の共通供給管路７に合流し、該共通供給管路７が浴槽１に接続されている。
【０００８】
温泉供給管路３にはＰＩＤ制御の第一自動モーターバルブ９とＯＮ−ＯＦＦ制御の第二自動モーターバルブ１１とを並列状に配設する。
【０００９】
図示の事例においては、第一自動モーターバルブ９の上流と下流とにそれぞれ手動バルブ１３、１５が配設されている。
【００１０】
図示の事例においては、第二自動モーターバルブ１１の上流と下流とにそれぞれ手動バルブ１７、１９が配設されている。
【００１１】
図示の事例においては、更にバイパスバルブ２１が第一自動モーターバルブ９と第二自動モーターバルブ１１とに対し並列状に配設されている。
【００１２】
補給水供給管路５にはＯＮ−ＯＦＦ制御の第三自動モーターバルブ２３を配設する。
【００１３】
図示の事例においては、第三自動モーターバルブ２３の上流と下流とにそれぞれ手動バルブ２５、２７が配設されている。
【００１４】
図示の事例においては、更にバイパスバルブ２９が第三自動モーターバルブ２３に対し並列状に配設されている。
【００１５】
符号３１に示すものは浴槽内湯温を検知する湯温センサーであり、符号３３に示すものは浴槽内湯温の所望の設定値と該設定値よりも高い上限値と該設定値よりも低い下限値とを設定するための湯温設定手段である。
【００１６】
湯温設定手段３３は、湯温センサー３１が検知した浴槽内湯温の情報を第一自動モーターバルブ９と第二自動モーターバルブ１１と第三自動モーターバルブ２３とに伝え、これらのバルブ９、１１、２３に所定の動作を行なわせる。
【００１７】
浴槽１の管理者等は、湯温設定手段３３により所望の湯温を設定する。この設定値（図２における符号４１参照。）は、一例として４２℃とする。
【００１８】
浴槽内湯温が設定値になるように第一自動モーターバルブ９に浴槽１に対する温泉の供給量を制御させる。
【００１９】
浴槽内湯温が設定値になるように第一自動モーターバルブ９に浴槽１に対する温泉の供給量を制御させている場合でも、浴槽内湯温は、外乱その他の原因により、設定値よりも高くなることがある。浴槽内湯温が設定値よりも高い上限値（図２における符号４３参照。）まで上昇したとき（符号４７）には第三自動モーターバルブ２３に浴槽１に対し補給水を供給させ、該補給水の供給により浴槽内湯温が設定値まで降下回復したとき（符号４９）には第三自動モーターバルブ２３を閉じる。即ち、第三自動モーターバルブ２３は、符号５１に示す時間、浴槽１に補給水を供給する。
【００２０】
因みに、浴槽内湯温が設定値よりも高い上限値まで上昇したときには、第一自動モーターバルブ９は浴槽１に対する温泉の供給を停止する。即ち、浴槽内湯温の上昇が阻止され、安全性が確保される。
【００２１】
上限値は任意に設定することができる。上限値は、設定値よりも例えば０．２〜０．５℃高い温度とする。即ち、例えば、設定値が４２℃のときは、上限値は４２．２〜４２．５℃である。
【００２２】
浴槽内湯温が設定値になるように第一自動モーターバルブ９に浴槽１に対する温泉の供給量を制御させている場合でも、浴槽内湯温は、外乱その他の原因により、設定値よりも低くなることがある。浴槽内湯温が設定値よりも低い下限値（図２における符号４５参照。）まで降下したとき（符号５３）には第二自動モーターバルブ１１に浴槽１に対し温泉を供給させ、該温泉の供給により浴槽内湯温が設定値まで上昇回復したとき（符号５５）には第二自動モーターバルブ１１を閉じる。即ち、第二自動モーターバルブ１１は、符号５７に示す時間、浴槽１に温泉を供給する。
【００２３】
下限値は、任意に設定することができる。下限値は、設定値よりも例えば０．２〜０．５℃低い温度とする。即ち、例えば、設定値が４２℃のときは、下限値は４１．５〜４１．８℃である。
【００２４】
以上により、浴槽内湯温は常時上限値と下限値との間に維持される。
【００２５】
温泉を常時定量的に浴槽１内に注入したい場合には、第二自動モーターバルブ１１による温泉の供給量を浴槽内湯温が設定値に達しない程度に手動バルブ１７、１９により調整した状態で、第二自動モーターバルブ１１を手動操作により開いた状態に保持すると共に、ＰＩＤ制御の第一自動モーターバルブ９を作用させるようにしてもよい。しかるときは、浴槽内湯温が降下したときには、第一自動モーターバルブ９が自動的に開いて浴槽内湯温を保持する。この場合には、補給水は使用されない。
【００２６】
また、補給水の使用が経済的に可能な場合には、第三自動モーターバルブ２３の流量をその手動バルブ２５、２７により制御した状態で第三自動モーターバルブ２３を手動操作により開いた状態に保持すると共に、ＰＩＤ制御の第一自動モーターバルブ９と第二自動モーターバルブ１１とを作用させるようにしてもよい。この場合には、常時一定量の補給水が浴槽１内に供給されるのであるから、浴槽内湯温は降下しようとするのであるが、第一自動モーターバルブ９が自動的に温泉を浴槽１に供給することにより浴槽内湯温は設定値に保持される。なお、浴槽内湯温が下限値まで降下したときには、第二自動モーターバルブ１１が自動的に温泉を浴槽１に供給し、浴槽内湯温が設定値に達したときには、第二自動モーターバルブ１１は自動的に閉じる。
【図面の簡単な説明】
【００２７】
【図１】本発明による浴槽内湯温の自動制御装置を概略的に示す説明図である。
【図２】浴槽内湯温の変化を示す説明図である。
【符号の説明】
【００２８】
１  浴槽
３  温泉供給管路
５  補給水供給管路
７  共通供給管路
９  第一自動モーターバルブ
１１  第二自動モーターバルブ
１３  手動バルブ
１５  手動バルブ
１７  手動バルブ
１９  手動バルブ
２１  バイパスバルブ
２３  第三自動モーターバルブ
２５  手動バルブ
２７  手動バルブ
２９  バイパスバルブ
３１  湯温センサー
３３  湯温設定手段
４１  設定値
４３  上限値
４５  下限値
【図１】
2005221166.tif 000003
【図２】
2005221166.tif 000004